(57)【特許請求の範囲】
【請求項１】
メインクロックの供給を受けて該メインクロックの周波数による駆動周波数で駆動される表示部と、
無線通信チャネルで受信した信号内のノイズを測定して前記メインクロックを供給する際に、該ノイズを減ずることができるように前記メインクロックの周波数を変更するメインクロック供給部とを備え、
前記メインクロック供給部は、前記無線通信チャネルで信号を受信する無線通信部と、
前記受信した信号でノイズを測定するノイズ測定部と、
前記測定されたノイズと参照値を比較して許容の可否を判断し、周波数変更信号を供給するデータ処理部と、
前記周波数変更信号に応答してメインクロックを供給するグラフィックコントローラとを含み、
前記ノイズ測定部は、第１駆動周波数で受信された信号と第２駆動周波数で受信された信号とを分析してノイズを測定し、
前記ノイズ測定部は、受信された信号を周波数領域で分析する時に表れるピーク中で、前記第１駆動周波数および前記第２駆動周波数で位置が変わるピークをノイズのピークとして定義して該ノイズのピークを分析することを特徴とする無線通信装置を含む表示装置。
【請求項２】
前記データ処理部は、ノイズを前記参照値と比較して許容できない場合、イネーブルされた周波数変更信号を供給することを特徴とする請求項１に記載の無線通信装置を含む表示装置。
【請求項３】
ノイズを前記参照値と比較して許容できる場合に前記無線通信チャネルの周波数帯域と前記メインクロックの周波数とを保存するメモリ部をさらに備えることを特徴とする請求項１に記載の無線通信装置を含む表示装置。
【請求項４】
前記メインクロック供給部は、前記メモリ部に保存された無線通信チャネルの周波数帯域と使用中の無線通信チャネルの周波数帯域とを比較し、該比較結果が一致する場合、前記メモリ部に保存された周波数のメインクロックを前記表示部に供給することを特徴とする請求項３に記載の無線通信装置を含む表示装置。
【請求項５】
前記データ処理部は、前記メモリ部に保存された無線通信チャネルの周波数帯域と使用中の無線通信チャネルの周波数帯域とを比較することを特徴とする請求項４に記載の無線通信装置を含む表示装置。
【請求項６】
前記ノイズ測定部または前記データ処理部のいずれかはＣＰＵ（Ｃｅｎｔｒａｌ  Ｐｒｏｃｅｓｓｉｎｇ  Ｕｎｉｔ）に含まれることを特徴とする請求項１に記載の無線通信装置を含む表示装置。
【請求項７】
前記メインクロック供給部は、ユーザの要求によってイネーブルされることを特徴とする請求項１に記載の無線通信装置を含む表示装置。
【請求項８】
表示部とメインクロック供給部を備える表示装置において、
無線通信チャネルで受信した信号内のノイズを測定してメインクロックを供給する際に、前記ノイズを減ずることができるように前記メインクロックの周波数を変更する段階と、
前記メインクロックの供給を受けて前記メインクロックの周波数による駆動周波数で表示部を駆動する段階とを有し、
前記メインクロックの周波数を変更する段階は、無線通信チャネル内のノイズを測定する段階と、
前記ノイズを参照値と比較して許容の可否を判断する段階と、
前記判断した結果によって前記メインクロックの周波数を変更する段階と、を含み、
前記ノイズを測定する段階は、第１駆動周波数で受信された信号と第２駆動周波数で受信された信号とを分析してノイズを測定し、
前記ノイズを測定する段階は、受信された信号を周波数領域で分析する時に表れるピーク中で、前記第１駆動周波数および前記第２駆動周波数で位置が変わるピークをノイズのピークとして定義する段階を含むことを特徴とする無線通信装置を含む表示装置の駆動方法。
【請求項９】
前記ノイズを前記参照値と比較して許容の可否を判断する段階は、ノイズのピークの位置と前記参照値を比較する段階を含むことを特徴とする請求項８に記載の無線通信装置を含む表示装置の駆動方法。
【請求項１０】
前記メインクロックの周波数を変更する段階は、ノイズと前記参照値を比較して許容できない場合、前記メインクロックの周波数を所定の量だけ変化させることを特徴とする請求項８に記載の無線通信装置を含む表示装置の駆動方法。
【請求項１１】
前記表示装置はメモリ部をさらに含み、ノイズと前記参照値を比較して許容できる場合、前記無線通信チャネルの周波数帯域と前記メインクロックの周波数とを該メモリ部に保存する段階をさらに有することを特徴とする請求項８に記載の無線通信装置を含む表示装置の駆動方法。
【請求項１２】
前記表示部は、前記メモリ部を含むことを特徴とする請求項１１に記載の無線通信装置を含む表示装置の駆動方法。
【請求項１３】
前記メモリ部に保存された無線通信チャネルの周波数帯域と使用中の無線通信チャネルの周波数帯域とを比較し、該比較結果が一致する場合、前記メモリ部に保存された周波数のメインクロックを前記表示部に供給する段階をさらに有することを特徴とする請求項１１に記載の無線通信装置を含む表示装置の駆動方法。
【請求項１４】
前記ノイズを測定する段階または前記ノイズと前記参照値を比較して許容の可否を判断する段階のいずれかの段階はＣＰＵで遂行されることを特徴とする請求項８に記載の無線通信装置を含む表示装置の駆動方法。
【請求項１５】
前記メインクロックの周波数を変更する段階は、ユーザの要求によってイネーブルされることを特徴とする請求項８に記載の無線通信装置を含む表示装置の駆動方法。
【請求項１６】
前記メインクロックの周波数を変更する段階と前記変更されたメインクロックの周波数による駆動周波数で表示部を駆動する段階とを反復してフィードバックすることを特徴とする請求項８に記載の無線通信装置を含む表示装置の駆動方法。
【発明の詳細な説明】
【技術分野】
【０００１】
本発明は表示装置およびその駆動方法に関するもので、より詳細には、無線通信装置を含む表示装置およびその駆動方法に関するものである。
【背景技術】
【０００２】
近年、液晶表示装置（Ｌｉｑｕｉｄ  Ｃｒｙｓｔａｌ  Ｄｉｓｐｌａｙ：ＬＣＤ）、ＯＬＥＤ表示装置（Ｏｒｇａｎｉｃ  Ｌｉｇｈｔ  Ｅｍｉｔｔｉｎｇ  ｄｉｏｄｅｓ  Ｄｉｓｐｌａｙ）等の平板パネル型表示装置の発達により、表示装置の小型化が可能になった。そしてこれら小型化された表示装置は携帯用電子製品に多く使用されている。
【０００３】
またこれら表示装置は、近年のＧＰＳ（Ｇｌｏｂａｌ  Ｐｏｓｉｔｉｏｎｉｎｇ  Ｓｙｓｔｅｍ）、ＤＭＢ（Ｄｉｇｉｔａｌ  Ｍｕｌｔｉｍｅｄｉａ  Ｂｒｏａｄｃａｓｔｉｎｇ）、ＷＷＡＮ（Ｗｉｒｅｌｅｓｓ  Ｗｉｄｅ  Ａｒｅａ  Ｎｅｔｗｏｒｋ）、ＷＬＡＮ（Ｗｉｒｅｌｅｓｓ  Ｌｏｃａｌ  Ａｒｅａ  Ｎｅｔｗｏｒｋ）等の無線通信技術の発達により、無線通信装置と結合されて多く使用されている。無線通信は、空間を伝送媒体とし、情報信号を電磁波にのせて送受信する通信方式で、空間的制約が少なく現在多く使用されている。ところで無線通信は空間を媒体として通信するため、既存の有線通信方式に比べてノイズが多く発生することがあり通信情報の受信率が問題になる。
【０００４】
特にＷＷＡＮまたはＷＬＡＮを利用するノートブックのように表示装置と結合されて使用される無線通信装置で受信率が問題になっている。
【特許文献１】特開２００７−０４３２４６号公報
【特許文献２】特開２０００−０７７９８０号公報
【特許文献３】韓国公開特許第１９９９−０１０２９３号明細書
【発明の開示】
【発明が解決しようとする課題】
【０００５】
そこで、本発明は、上記従来の問題点に鑑みてなされたもので、本発明の目的は、受信率が向上した無線通信装置を含む表示装置を提供することにある。
【０００６】
本発明の他の目的は、受信率が向上した無線通信装置を含む表示装置の駆動方法を提供することにある。
【０００７】
本発明が解決しようとする課題は、上記で言及した課題に制限されず、言及されていない或いは他の課題は次の記載から当業者に明確に理解できるであろう。
【課題を解決するための手段】
【０００８】
上記目的を達成するためになされた本発明の一特徴による無線通信装置を含む表示装置は、メインクロックの供給を受けて該メインクロックの周波数による駆動周波数で駆動される表示部と、無線通信チャネルで受信した信号内のノイズを測定して前記メインクロックを供給する際に、該ノイズを減ずることができるように前記メインクロックの周波数を変更するメインクロック供給部とを備え、前記メインクロック供給部は、前記無線通信チャネルで信号を受信する無線通信部と、前記受信した信号でノイズを測定するノイズ測定部と、前記測定されたノイズと参照値を比較して許容の可否を判断し、周波数変更信号を供給するデータ処理部と、前記周波数変更信号に応答してメインクロックを供給するグラフィックコントローラとを含み、前記ノイズ測定部は、第１駆動周波数で受信された信号と第２駆動周波数で受信された信号とを分析してノイズを測定し、前記ノイズ測定部は、受信された信号を周波数領域で分析する時に表れるピーク中で、前記第１駆動周波数および前記第２駆動周波数で位置が変わるピークをノイズのピークとして定義して該ノイズのピークを分析することを特徴とする。
【０００９】
上記目的を達成するためになされた本発明の一特徴による無線通信装置を含む表示装置の駆動方法は、表示部とメインクロック供給部を備える表示装置において、無線通信チャネルで受信した信号内のノイズを測定してメインクロックを供給する際に、前記ノイズを減ずることができるように前記メインクロックの周波数を変更する段階と、前記メインクロックの供給を受けて前記メインクロックの周波数による駆動周波数で表示部を駆動する段階とを有し、前記メインクロックの周波数を変更する段階は、無線通信チャネル内のノイズを測定する段階と、前記ノイズを参照値と比較して許容の可否を判断する段階と、前記判断した結果によって前記メインクロックの周波数を変更する段階と、を含み、前記ノイズを測定する段階は、第１駆動周波数で受信された信号と第２駆動周波数で受信された信号とを分析してノイズを測定し、前記ノイズを測定する段階は、受信された信号を周波数領域で分析する時に表れるピーク中で、前記第１駆動周波数および前記第２駆動周波数で位置が変わるピークをノイズのピークとして定義する段階を含むことを特徴とする。
【発明の効果】
【００１０】
このような本発明の無線装置を含む表示装置およびこの駆動方法によれば、受信率が向上した無線通信をすることができる。
【００１１】
本発明の効果は上記で言及した効果に制限されず、言及されていない或いは他の効果は特許請求の範囲の記載から当業者に明確に理解できるであろう。
【発明を実施するための最良の形態】
【００１２】
本発明の利点および特徴、そしてそれらを達成する方法は、図面と共に詳細に後述される実施形態を参照すれば明確になるだろう。しかし本発明は以下で開示される実施形態に限定されるものではなく互いに異なる多様な形態で具現することができ、単に本実施形態は、本発明の開示が完全になるように、本発明が属する技術分野で通常の知識を有する者に発明の範疇を完全に知らせるために提供されるものである。明細書全体にかけて同一参照符号は同一構成要素を指称する。また「および／または」は言及されたアイテムの各々および一つ以上のすべての組合せを含む。
【００１３】
たとえ第１、第２等が多様な素子、構成要素および／またはセクションを叙述するために使用されたり、これら素子、構成要素および／またはセクションがこれら用語によって制限されたりしないのはもちろんである。これらの用語は単に一つの素子、構成要素またはセクションを他の素子、構成要素またはセクションと区別するために使用されるものである。したがって、以下で言及される第１素子、第１構成要素または第１セクションは本発明の技術的思想内で第２素子、第２構成要素または第２セクションであることもあるのはもちろんである。
【００１４】
本明細書で使用された用語は実施形態を説明するためのものであり、本発明を制限しようとするものではない。本明細書で、単数型は文句で特別に言及しない限り複数型も含む。明細書で使用される「含む（ｃｏｍｐｒｉｓｅｓ）」および／または「含む（ｃｏｍｐｒｉｓｉｎｇ）」は言及された構成要素、段階、動作および／または素子は一つ以上の他の構成要素、段階、動作および／または素子の存在または追加を排除しない。
【００１５】
また、以下で「ピーク（ｐｅａｋ）」という用語は、信号を周波数領域で表した時、信号の振幅が増加してから減少する変曲点を意味する。
【００１６】
他の定義がないならば、本明細書で使用されるすべての用語（技術および科学的用語を含む）は本発明が属する技術分野で通常の知識を有する者に共通的に理解し得る意味で使用され得るものである。また一般的に使用される事前に定義されている用語は明白に特別に定義されていない限り理想的にまたは過度に解釈されない。
【００１７】
以下、本発明の無線通信装置を含む表示装置およびその駆動方法を実施するための最良の形態の具体例を、図面を参照しながら詳細に説明する。
まず、図１ないし図５を参照し、本発明の第１実施形態による無線通信装置を含む表示装置について説明する。
【００１８】
図１は、本発明の第１実施形態による無線通信装置を含む表示装置のブロック図であり、図２は、表示装置の駆動にともなうノイズを説明するための図である。図３は、図１のノイズ測定部でノイズを測定する例示的な方法を説明する図である。
図４および図５は、図１のデータ処理部でノイズの許容の可否を判断する例示的な方法を説明する図である。
【００１９】
図１を参照すれば、本発明の第１実施形態による無線通信装置を含む表示装置は表示部１００とメインクロック供給部２００を含む。
【００２０】
表示部１００は、グラフィックコントローラ２８０から供給される入力映像信号（Ｒ、Ｇ、Ｂ）および入力制御信号（Ｈｓｙｎｃ、Ｖｓｙｎｃ、ＭＣＬＫ）の供給を受け、情報を表示（ｄｉｓｐｌａｙ）する。表示部１００は、表示パネル１２０、タイミングコントローラ１４０、ゲート駆動部１６０、およびデータ駆動部１８０を含む。
【００２１】
表示パネル１２０は、多数の表示信号線（Ｇ１〜Ｇｎ、Ｄ１〜Ｄｎ）と、これに連結され、マトリックス（ｍａｔｒｉｘ）形態で配列された多数の単位画素（ＰＸ）を含む。表示信号線（Ｇ１〜Ｇｎ、Ｄ１〜Ｄｎ）はゲート信号を伝達する多数のゲートライン（Ｇ１〜Ｇｎ）とデータ信号を伝達する多数のデータライン（Ｄ１〜Ｄｎ）を含む。ここで表示パネル１２０は、単位画素（ＰＸ）を具現する方式によってＬＣＤ（Ｌｉｑｕｉｄ  Ｄｉｓｐｌａｙ）パネル、ＯＬＥＤ（Ｏｒｇａｎｉｃ  Ｌｉｇｈｔ  Ｅｍｉｔｔｉｎｇ  ｄｉｏｄｅｓ  Ｄｉｓｐｌａｙ）パネル、ＰＤＰ（Ｐｌａｓｍａ  Ｄｉｓｐｌａｙ  Ｐａｎｅｌ）等であり得る。
【００２２】
タイミングコントローラ１４０はグラフィックコントローラ２８０から入力映像信号（Ｒ、Ｇ、Ｂ）およびこの表示を制御する入力制御信号（Ｈｓｙｎｃ、Ｖｓｙｎｃ、ＭＣＬＫ）を受信する。入力制御信号（Ｈｓｙｎｃ、Ｖｓｙｎｃ、ＭＣＬＫ）の例としては垂直同期信号（Ｖｓｙｎｃ）、水平同期信号（Ｈｓｙｎｃ）、メインクロック（ＭＣＬＫ）等がある。
【００２３】
タイミングコントローラ１４０は、入力映像信号（Ｒ、Ｇ、Ｂ）と入力制御信号（Ｈｓｙｎｃ、Ｖｓｙｎｃ、ＭＣＬＫ）に基づきゲート制御信号（ＣＯＮＴ１）、データ制御信号（ＣＯＮＴ２）および映像信号（Ｒ′、Ｇ′、Ｂ′）等を生成する。そしてゲート制御信号（ＣＯＮＴ１）をゲート駆動部１６０に供給し、データ制御信号（ＣＯＮＴ２）と映像信号（Ｒ′、Ｇ′、Ｂ′）をデータ駆動部１８０に供給する。
【００２４】
ここでゲート制御信号（ＣＯＮＴ１）、データ制御信号（ＣＯＮＴ２）等のようにタイミングコントローラ１４０から供給される信号はメインクロック（ＭＣＬＫ）を基準として時間的関係が制御され得る。メインクロック（ＭＣＬＫ）の周波数は表示部１００の駆動周波数であり得る。ここで駆動周波数はフレーム率（ｆｒａｍｅ  ｒａｔｅ）、水平総データおよび垂直総データなどによって定義され得、水平総データはＨ−ｓｙｎｃ、Ｈ−ｂａｃｋｐｏｒｃｈおよびＨ−ａｃｔｉｖｅを含み、垂直総データはＶ−ｓｙｎｃ、Ｖ−ｂａｃｋｐｏｒｃｈおよびＶ−ａｃｔｉｖｅを含み得る。
【００２５】
またゲート制御信号（ＣＯＮＴ１）は、ゲート駆動部１６０の動作を制御するための信号であって、ゲート駆動部１６０の動作を開始する垂直開始信号、およびゲートオン電圧（Ｖｏｎ）の出力時期を決定するゲートクロック信号などを含む。
【００２６】
データ制御信号（ＣＯＮＴ２）は、データ駆動部１８０の動作を制御する信号であって、データ駆動部１８０の動作を開始する水平開始信号、および映像信号（Ｒ′、Ｇ′、Ｂ′）の出力時期を決定するデータクロック信号などを含む。
【００２７】
ゲート駆動部１６０は、ゲートライン（Ｇ１〜Ｇｎ）に連結され、ゲートオン／オフ電圧発生部（図示せず）から供給されたゲートオン電圧（Ｖｏｎ）とゲートオフ電圧（Ｖｏｆｆ）を、ゲート制御信号（ＣＯＮＴ１）に応答し、ゲートライン（Ｇ１〜Ｇｎ）に印加する。
【００２８】
データ駆動部１８０は、データライン（Ｄ１〜Ｄｎ）に連結され、映像信号（Ｒ′、Ｇ′、Ｂ′）を、データ制御信号（ＣＯＮＴ２）に応答してデータライン（Ｄ１〜Ｄｎ）に印加する。
【００２９】
メインクロック供給部２００は、無線通信チャネルで受信した信号内のノイズを測定して、ノイズを減ずることができるようにメインクロック（ＭＣＬＫ）の周波数を変更して表示部１００に供給する。メインクロック供給部２００は無線通信部２２０、ノイズ測定部２４０、データ処理部２６０、およびグラフィックコントローラ２８０を含む。
【００３０】
無線通信部２２０は無線通信チャネルを通して受信側から搬送波（ｃａｒｒｉｅｒ）にのせられて来た情報信号を受信する。
【００３１】
無線通信部２２０はＲＦ（Ｒａｄｉｏ  Ｆｒｅｑｕｅｎｃｙ）同調部２２２と基底帯域処理部２２４を含む。
【００３２】
ＲＦ同調部２２２は無線通信チャネル選択および同期を維持する役割をする。また同期化された信号（ＳＲＳ）を基底帯域処理部２２４に供給する。ここでＲＦ同調部２２２は無線通信で入力される信号の同期復調（ｓｙｎｃｈｒｏｎｏｕｓ  ｄｅｍｏｄｕｌａｔｉｏｎ）のために、送信された入力搬送波位相と局部発信器の位相を許容範囲内で所定の時間的関係で維持させたり一致させたりする。
【００３３】
基底帯域処理部２２４はＲＦ同調部２２２を経た同期化された信号（ＳＲＳ）をデジタル信号（ＰＲＳ）に復調する。ＲＦ同調部２２２を通過した信号をＩ−チャネルおよびＱ−チャネル信号に分離し、これをローパスフィルタ（ｌｏｗｐａｓｓ  ｆｉｌｔｅｒ）でフィルタリングした後に、アナログ−デジタル変換器（Ａｎａｌｏｇ  Ｄｉｇｉｔａｌ  Ｃｏｎｖｅｒｔｅｒ：ＡＤＣ）でデジタル信号（ＰＲＳ）に変換する。
【００３４】
ノイズ測定部２４０は、無線通信部２２０で受信したデジタル信号（ＰＲＳ）のノイズを測定し、データ処理部２６０に供給する。ここでノイズは駆動周波数によるノイズであり得る。
【００３５】
まず図２を参照し、無線通信において影響を及ぼす表示部の駆動周波数によるノイズを説明する。
【００３６】
表示部の駆動周波数（ｍ）に正数倍となる周波数（例えば、ｎｍ、（ｎ＋１）ｍ）付近で強いＥＭＩ（ＥｌｅｃｔｒｏＭａｇｎｅｔｉｃ  Ｉｎｔｅｒｆｅｒｅｎｃｅ）が発生する。すなわち無線通信チャネルの周波数帯域内に表示部の駆動周波数によるＥＭＩが存在する場合、これは無線通信チャネル内でノイズとして作用し無線通信の受信率を減ずるようになる。
【００３７】
図３を参照しながら説明すると、ノイズ測定部２４０は第１駆動周波数（例えばｍ）で受信された信号（ＰＲＳ１）と第２駆動周波数（例えばｌ）で受信された信号（ＰＲＳ２）を分析して、ノイズ（ＮＤＳ）を測定する。
【００３８】
具体的に説明すれば、受信されたデジタル信号（ＰＲＳ）を周波数領域上で分析する場合、情報信号、表示部の駆動周波数によるノイズなどの色々な信号によるピークが表れるようになる。ここで表示部１００の駆動周波数によるノイズは上記で説明したように、表示部１００の駆動周波数の正数倍となる周波数付近でピークが表れるようになり、また表示部１００の駆動周波数が変わればこれに応じてピークの位置が移動するようにする。
【００３９】
したがって第１駆動周波数と第２駆動周波数でのピーク中で位置が変わるピークをノイズのピークとして定義し、これを分析する。すなわち第１駆動周波数と第２駆動周波数の差異（例えばｌ−ｍ）に該当する分くらい位置が移動するピークをノイズのピークとして定義し、これを分析し得る。ノイズのピークの分析はノイズのピークが位置する周波数領域とノイズのピークの振幅を分析するものであり得る。
【００４０】
ここでノイズ測定部２４０はＣＰＵ（Ｃｅｎｔｒａｌ  Ｐｒｏｃｅｓｓｉｎｇ  Ｕｎｉｔ）に含まれることも可能で、上記で説明した動作をソフトウェア的に遂行することもできる。
【００４１】
また図には表わさなかったが、ノイズ測定部はＲＳＳＩ（Ｒｅｃｅｉｖｅｄ  Ｓｉｇｎａｌ  Ｓｔｒｅｎｇｔｈ  Ｉｎｄｉｃａｔｏｒ）等で受信信号の強さなどを検出し、この信号を処理して例えば、ＢＥＲ（Ｂｉｔ  Ｅｒｒｏｒ  Ｒａｔｅ）等を検出する回路でもあり得る。
【００４２】
データ処理部２６０はノイズ測定部２４０で測定されたノイズ（ＮＤＳ）と参照値を比較して許容の可否を判断する。そして判断結果によってグラフィックコントローラ２８０に周波数変更信号（ＦＣ）を供給する。
【００４３】
具体的に図４および図５を参照すれば、データ処理部２６０はノイズ測定部２４０で測定したノイズ（ＮＤＳ）の許容の可否を、ノイズのピークと参照値を比較して判断する。ここで参照値は所定の範囲を有する周波数帯域であって、無線通信チャネルの周波数帯域と同じ大きさであり得る。また、参照値は無線通信チャネルの周波数帯域より小さい範囲を有する周波数帯域であり得る。
【００４４】
図４のようなノイズのピークが参照範囲内にある場合、データ処理部２６０はノイズを許容できないという判断をし得る。反面、図５のようにノイズのピークの位置が参照範囲の外にある場合、データ処理部はノイズを許容できるという判断をし得る。そしてノイズのピークが参照範囲内にあっても、ノイズのピークが許容し得る大きさを有する場合、許容できるという判断をすることもできる。
【００４５】
また図には示さなかったが、無線通信チャネルの周波数帯域内に二つのノイズのピークが存在する場合、データ処理部は参照範囲内に少なくとも一つのノイズのピークだけが存在する場合や、ノイズのピークが存在しない場合、許容できるという判断をすることもできる。そして二つのノイズのピークが参照範囲内にあっても、ノイズのピークが許容できる大きさを有する場合、許容できるという判断をすることもできる。
【００４６】
データ処理部２６０は、ノイズ（ＮＤＳ）の許容の可否を判断した結果によって、グラフィックコントローラ２８０に周波数変更信号（ＦＣ）を供給する。ノイズ（ＮＤＳ）を許容できない場合はイネーブル（ｅｎａｂｌｅ）された周波数変更信号（ＦＣ）を供給し、反面、ノイズを許容できる場合にはディセーブル（ｄｉｓａｂｌｅ）された周波数変更信号（ＦＣ）を供給する。ここでデータ処理部２６０はＣＰＵに含まれ得る。
【００４７】
また図には示さなかったが、ノイズを、ＲＳＳＩなどを利用して測定する場合、ノイズが許容できる大きさの参照値より大きい場合には許容できないという判断をし得る。反面、ノイズが許容できる大きさの参照値より小さい場合には許容できるという判断をすることもできる。
【００４８】
グラフィックコントローラ２８０はデータ処理部２６０で周波数変更信号（ＦＣ）に応答してメインクロック（ＭＣＬＫ）を表示部１００のタイミングコントローラ１４０に供給する。
【００４９】
具体的にグラフィックコントローラ２８０は、ＣＰＵなどから映像信号の供給を受け、表示部１００のタイミングコントローラ１４０に入力映像信号（Ｒ、Ｇ、Ｂ）およびこれの表示を制御する入力制御信号（Ｈｓｙｎｃ、Ｖｓｙｎｃ、ＭＣＬＫ）を供給する。ここでグラフィックコントローラ２８０に供給される映像信号には周波数変更信号（ＦＣ）を含む。またグラフィックコントローラ２８０はイネーブルされた周波数変更信号（ＦＣ）に応答しメインクロック（ＭＣＬＫ）の周波数を変更して表示部１００のタイミングコントローラ１４０に供給する。
【００５０】
また上記で説明したメインクロック供給部２００はユーザの要求によってイネーブルされ得る。具体的にユーザが既に使用した無線通信チャネルと異なる無線通信チャネルを使用する場合、無線通信チャネルの周波数帯域が変動することになり、上記で説明したような原因（図２参照）でノイズが発生し得る。このような場合にだけノイズ減少のためにメインクロック供給部２００をイネーブルさせ、同一な無線通信チャネルを継続して使用する場合にはメインクロック供給部２００をディセーブルさせることもできる。
【００５１】
以上で説明した本発明の第１実施形態による無線通信装置を含む表示装置はフィードバックして動作する。すなわち、表示部１００での駆動と、メインクロック供給部２００でのノイズ測定およびこれに伴い表示部１００の駆動周波数を変更するために変更された周波数のメインクロック（ＭＣＬＫ）を供給することが反復されてフィードバックされるものである。これによって、無線通信装置を含む表示装置は無線通信時のノイズによる干渉を減ずることができる。
【００５２】
次に図２ないし図６を参照して、本発明の第２実施形態による無線通信装置を含む表示装置について説明する。
【００５３】
図６は、本発明の第２実施形態による無線通信装置を含む表示装置のブロック図である。図２ないし図５と同一の構成要素に対しては同一の図面符号を使用し、該当構成要素に対する詳細な説明は省略するものとする。
【００５４】
図６を参照すれば、本発明の第２実施形態による無線通信装置を含む表示装置が本発明の第１実施形態と異なる点は、無線通信チャネルの周波数帯域（ＭＦＷ）とメインクロックの周波数（ＦＭＣＬＫ）を保存し得るメモリ部３００をさらに含むという点である。またメモリ部３００に保存された周波数帯域（ＭＦＷ）と使用している周波数帯域（ＵＦＭ）とを比較して一致する場合、保存されたメインクロックの周波数（ＦＭＣＬＫ）でメインクロック（ＭＣＬＫ）を供給するという点である。
【００５５】
メモリ部３００にはデータ処理部２６０でノイズ（ＮＤＳ）と参照値を比較してノイズ（ＮＤＳ）を許容できる場合、無線通信部２２０で使用している無線通信チャネルの周波数帯域（ＭＦＷ）と表示部１００に供給されるメインクロックの周波数（ＦＭＣＬＫ）が保存される。
【００５６】
メモリ部３００の位置に制限はないが、メモリ部３００は表示部１００に含まれ得る。また表示部１００に製造会社、製品識別コードおよび基本ディスプレイ変数と特性を知らせるモニター情報（Ｅｘｔｅｎｄｅｄ  Ｄｉｓｐａｙ  Ｉｄｅｎｔｉｆｉｃａｔｉｏｎ  Ｄａｔａ：ＥＤＩＤ）等を保存したメモリでもあり得る。メモリ部３００が表示部１００に含まれる場合、グラフィックコントローラ２８０を通してメモリ部３００に無線通信チャネルの周波数帯域（ＭＦＷ）とメインクロック（ＭＣＬＫ）の周波数（ＦＭＣＬＫ）を保存し、保存されたデータ（ＭＣＬＫ、ＦＭＣＬＫ）を読み出すことができる。
データ処理部２６０はメモリ部３００に保存された無線通信チャネルの周波数帯域（ＭＦＷ）と無線通信チャネルの周波数帯域（ＵＦＷ）を比較し、比較結果が一致する場合、グラフィックコントローラ２８０でメモリ部３００に保存されたメインクロックの周波数（ＦＭＣＬＫ）でメインクロック（ＭＣＬＫ）を供給するようにする。
【００５７】
具体的にデータ処理部２６０は無線通信部２２０から使用している無線通信チャネルの周波数帯域（ＵＦＷ）に対するデータの供給を受け、メモリ部３００からは保存された無線通信チャネルの周波数帯域（ＭＦＷ）に対するデータの供給を受けてこれらを比較する。
【００５８】
データ処理部２６０は保存された無線通信チャネルの周波数帯域（ＭＦＷ）と現在使用している無線通信チャネルの周波数帯域（ＵＦＷ）が一致する場合、グラフィックコントローラ２８０でメモリ部３００に保存された周波数（ＦＭＣＬＫ）のメインクロック（ＭＣＬＫ）を供給するようにする。反面、比較結果が一致しない場合、第１実施形態で説明したようにフィードバック過程を通してノイズを減ずる過程を反復するようになる。
【００５９】
図１ないし図５と図７を参照して、本発明の第３実施形態による無線通信装置を含む表示装置の駆動方法について説明する。本発明の第３実施形態による無線通信装置を含む表示装置の駆動方法は第１実施形態の無線通信装置を含む表示装置の駆動方法であり得る。
【００６０】
図７は、本発明の第３実施形態による無線通信装置を含む表示装置の駆動方法を示すフロー図である。図１ないし図５と同一な構成要素に対しては同一な図面符号を使用し、該当構成に対する詳細な説明は省略するものとする。
【００６１】
図１ないし図３および図７を参照すれば、まず無線通信チャネル内のノイズを測定する（Ｓ１００）。ここでノイズは表示部１００の駆動周波数によるノイズであり得る。
【００６２】
具体的に第１駆動周波数（例えば、ｍ）で受信された信号（ＰＲＳ１）と第２駆動周波数（例えば、ｌ）で受信された信号（ＰＲＳ２）を分析してノイズ（ＮＤＳ）を測定する。上述したように表示部１００の駆動周波数によって発生するノイズ（ＮＤＳ）は表示部１００の駆動周波数によってピークが発生する位置が変わる。したがって表示部１００の駆動周波数が変わることによって、表示部１００の駆動周波数の変化量（例えば、ｌ−ｍ）だけ移動するピークをノイズのピークとして定義してこれを分析する。ノイズのピークの分析はノイズのピークが位置する周波数領域とノイズのピークの振幅を分析したものであり得る。このような分析およびノイズ測定はＣＰＵで実施されることもある。
【００６３】
また図には示さなかったが、ノイズはＲＳＳＩなどで受信信号の強さなどを検出し、この信号を処理して例えば、ＢＥＲなどを測定することもできる。
【００６４】
図１ないし図６ないし図７に示すように、測定されたノイズ（ＮＤＳ）を参照値と比較して許容の可否を判断する（Ｓ２００）。
【００６５】
具体的にノイズ（ＮＤＳ）の許容の可否判断はノイズのピークの位置を参照値と比較してすることができる。ここで参照値は一定の範囲を有する周波数帯域であって、無線通信チャネルの周波数帯域と同じ大きさであり得る。また参照値は無線通信チャネルの周波数帯域より小さい範囲を有する周波数帯域であり得る。ノイズのピークが参照範囲内にある場合、許容できないという判断をし、反面、ノイズのピークが参照範囲の外にある場合、許容できるという判断をし得る。そしてノイズのピークが参照範囲内にあっても、ノイズのピークが許容できる大きさを有する場合、許容できるという判断をすることもできる。
【００６６】
また図には示さなかったが、無線通信チャネルの周波数帯域内に二つのノイズのピークが存在する場合、データ処理部は参照範囲内に少なくとも一つのノイズのピークだけが存在する場合や、ノイズのピークが存在しない場合、許容できるという判断をすることもできる。
【００６７】
また図には示さなかったが、ノイズを、ＲＳＳＩなどを利用して測定する場合には、ノイズが許容できる大きさの参照値より大きい場合には許容できないという判断をし得る。反面、ノイズが許容できる大きさの参照値より小さい場合には許容できるという判断をすることもできる。
許容できないという判断をするようになれば、メインクロック（ＭＣＬＫ）の周波数を変更する（Ｓ３００）。ここでメインクロックの周波数を変更するのは、上記で説明したようにデータ処理部２６０ですることができる。
【００６８】
そして周波数が変更されたメインクロック（ＭＣＬＫ）の供給を受けた表示部１００は、これに応答し、駆動周波数が変更されて駆動されるようになる（Ｓ４００）。
【００６９】
このような過程が反復されれば、無線通信装置を含む表示装置は表示部１００の駆動周波数によって発生するノイズによる影響を減ずることができる。
【００７０】
また上記で説明したフィードバック過程（Ｓ１００、Ｓ２００、Ｓ３００、Ｓ４００）は本発明の第１実施形態で説明したものと同じ理由でユーザの要求によってイネーブルされることもあり得る。
図２ないし図５および図７を参照して、本発明の第４実施形態による無線通信装置を含む表示装置の駆動方法について説明する。本発明の第４実施形態による無線通信装置を含む表示装置の駆動方法は第２実施形態の無線通信装置を含む表示装置の駆動方法であり得る。
【００７１】
図８は、本発明の第４実施形態による無線通信装置を含む表示装置の駆動方法を示すフロー図である。図２ないし図５と同一の構成要素に対しては同一の図面符号を使用し、該当構成に対する詳細な説明は省略するものとする。
【００７２】
本発明の第４実施形態による無線通信装置を含む表示装置の駆動方法が第３実施形態と異なる点は、ノイズ（ＮＤＳ）を許容できる場合、無線通信チャネルの周波数帯域（ＭＦＷ）および表示部１００の駆動周波数（ＦＭＣＬＫ）をメモリ部３００に保存する段階（Ｓ５００）がさらに含まれるという点である。
【００７３】
また、メモリ部３００に保存された周波数帯域（ＭＦＷ）と使用している周波数帯域（ＵＦＷ）を比較して（Ｓ６００）一致する場合、保存されたメインクロックの周波数（ＦＭＣＬＫ）でメインクロック（ＭＣＬＫ）を供給する段階（Ｓ７００）がさらに含まれるという点である。
【００７４】
メモリ部３００に保存された無線通信チャネルの周波数帯域（ＭＦＷ）と現在使用している無線通信チャネルの周波数帯域（ＵＦＷ）との一致の可否を判断する（Ｓ６００）。
【００７５】
周波数帯域が一致する場合、メモリ部３００に保存された周波数（ＦＭＣＬＫ）のメインクロック（ＭＣＬＫ）を表示部１００に供給する（Ｓ７００）。これによって、該当無線通信チャネルの周波数帯域（ＵＦＷ、ＭＦＷ）で、表示部１００の駆動周波数によるノイズの影響を許容できる範囲で、表示部１００を駆動することができる。
【００７６】
反面、一致しない場合、上記で説明した本発明の第３実施形態と同じ過程（Ｓ１００、Ｓ２００、Ｓ３００、Ｓ４００）を経るようになる。これに対しては上述したものであるため説明を省略する。
【００７７】
そしてノイズ（ＮＤＳ）の許容の可否を判断する段階（Ｓ２００）で許容できるという判断をすれば、現在使用している通信チャネルの周波数帯域（ＭＦＷ）とメインクロックの周波数（ＦＭＣＬＫ）をメモリ部３００に保存する（Ｓ５００）。
【００７８】
具体的に上記第３実施形態のようなフィードバック過程（Ｓ１００、Ｓ２００、Ｓ３００、Ｓ４００）をたどりつつ、表示部１００に供給されるメインクロック（ＭＣＬＫ）の周波数は、現在使用している通信チャネルの周波数帯域で許容できる程度のノイズを発生させる。したがって以後に周波数帯域が同じ無線通信チャネルで通信をするようになる場合、上記のようなフィードバック過程（Ｓ１００、Ｓ２００、Ｓ３００、Ｓ４００）を反復しないように、メモリ部３００に周波数帯域（ＭＦＷ）と表示部１００の駆動周波数（ＦＭＣＬＫ）を保存する。
【００７９】
以上、本発明を実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００８０】
【図１】本発明の第１実施形態による無線通信装置を含む表示装置のブロック図である。
【図２】表示装置の駆動にともなうノイズを説明するための図である。
【図３】図１のノイズ測定部でノイズを測定する例示的な方法を説明する図である。
【図４】図１のデータ処理部でノイズの許容の可否を判断する例示的な方法を説明する図である。
【図５】図１のデータ処理部でノイズの許容の可否を判断する例示的な方法を説明する図である。
【図６】本発明の第２実施形態による無線通信装置を含む表示装置のブロック図である。
【図７】本発明の第３実施形態による無線通信装置を含む表示装置の駆動方法を示すフロー図である。
【図８】本発明の第４実施形態による無線通信装置を含む表示装置の駆動方法を示すフロー図である。
【符号の説明】
【００８１】
１００    表示部
１２０    表示パネル
１４０    タイミングコントローラ
１６０    ゲート駆動部
１８０    データ駆動部
２００    メインクロック供給部
２２０    無線通信部
２２２    ＲＦ同調部
２２４    基底帯域処理部
２４０    ノイズ測定部
２６０    データ処理部
２８０    グラフィックコントローラ
３００    メモリ部
【図１】
0005280728.tif 000002
【図２】
0005280728.tif 000003
【図３】
0005280728.tif 000004
【図４】
0005280728.tif 000005
【図５】
0005280728.tif 000006
【図６】
0005280728.tif 000007
【図７】
0005280728.tif 000008
【図８】
0005280728.tif 000009